【手続補正書】
【提出日】平成19年10月12日(2007.10.12)
【手続補正１】
【補正対象書類名】明細書
【補正対象項目名】発明の名称
【補正方法】変更
【補正の内容】
【発明の名称】撮像装置及びその信号処理方法及び記憶媒体
【手続補正２】
【補正対象書類名】明細書
【補正対象項目名】特許請求の範囲
【補正方法】変更
【補正の内容】
【特許請求の範囲】
【請求項１】  撮像手段により得られた撮像データをファイル化して記録媒体に記憶するとともに、前記ファイルの撮像データを記録する領域とは異なる領域に、撮像データの調整用データを記憶する記憶手段を有することを特徴とする撮像装置。
【請求項２】  前記ファイル化して記録された撮像データを再生表示するモニター手段と、該モニター手段に表示された撮像データを選択する選択手段と、該選択手段により撮像データが選択されたときにこの撮像データと同一のファイルに記録されている調整用データを読み出す読み出し手段と、該読み出されたデータに基づいて前記読み出された撮像データを再生する再生手段を有することを特徴とする請求項１記載の撮像装置。
【請求項３】  前記調整用データは、ホワイトバランスの調整用データを含むことを特徴とする請求項１記載の撮像装置。
【請求項４】  前記調整用データは、カラーバランスの調整用データを含むことを特徴とする請求項１記載の撮像装置。
【請求項５】  前記調整用データは、前記撮像手段により得られた撮像データの全部あるいは一部に対する色成分のデータの平均値であることを特徴とする請求項１記載の撮像装置。
【請求項６】  読み出された調整用データの各色成分の比から、その逆数を演算する演算手段を有することを特徴とする請求項５記載の撮像装置。
【請求項７】  前記ホワイトバランスの調整用データに基づいて、前記記録媒体から読み出された撮像データをホワイトバランス調整するホワイトバランス調整手段を有することを特徴とする請求項３記載の撮像装置。
【請求項８】  前記調整用データは、各ファイルの付属領域に記憶されることを特徴とする請求項１記載の撮像装置。
【請求項９】  撮像手段により得られた撮像データは、ホワイトバランス調整後、規格で定められたフォーマットのファイルに符号化されて記録媒体に記録され、前記調整用データとしての色成分のデータの平均値のデータは前記撮像データと同一のファイルの付属の領域に記録されることを特徴とする請求項１記載の撮像装置。
【請求項１０】  前記調整用データは、前記撮像手段が有する撮像素子の固有のデータを含むことを特徴とする請求項１、請求項３または請求項４何れか記載の撮像装置。
【請求項１１】  撮像手段により得られた撮像データをファイル化して記録媒体に記憶するとともに、前記ファイルの撮像データを記録する領域とは異なる領域に、撮像データの調整用データを記録する記録ステップを有することを特徴とする撮像装置の信号処理方法。
【請求項１２】  前記調整用データは、ホワイトバランスの調整用データを含むことを特徴とする請求項１１記載の撮像装置の信号処理方法。
【請求項１３】  前記調整用データは、カラーバランスの調整用データを含むことを特徴とする請求項１１記載の撮像装置の信号処理方法。
【請求項１４】  前記調整用データは、前記撮像手段により得られた撮像データの全部あるいは一部に対する色成分のデータの平均値であることを特徴とする請求項１１記載の撮像装置の信号処理方法。
【請求項１５】  前記ホワイトバランスの調整用データに基づいて、前記記録媒体から読み出された撮像データをホワイトバランス調整するホワイトバランス調整手段と有することを特徴とする請求項１２記載の撮像装置の信号処理方法。
【請求項１６】  前記調整用データは、各ファイルの付属領域に記憶されることを特徴とする請求項１１記載の撮像装置の信号処理方法。
【請求項１７】  撮像ステップにより得られた撮像データは、ホワイトバランス調整後、規格で定められたフォーマットのファイルに符号化されて記録媒体に記録され、色成分のデータの平均値のデータは前記撮像データと同一のファイルの付属の領域に記録されることを特徴とする請求項１１記載の撮像装置の信号処理方法。
【請求項１８】  前記調整用データは、前記撮像手段が有する撮像素子の固有のデータを含むことを特徴とする請求項１１、請求項１３または請求項１４何れか記載の撮像装置の信号処理方法。
【請求項１９】  撮像手段により得られた撮像データをファイル化して記録媒体に記憶するとともに、前記ファイルの撮像データを記録する領域とは異なる領域に、撮像データの調整用データを記録する記録ステップを有する信号処理方法を実行するためのプログラムを格納したコンピュータにより読み取り可能な記憶媒体。
【手続補正３】
【補正対象書類名】明細書
【補正対象項目名】０００１
【補正方法】変更
【補正の内容】
【０００１】
【発明の属する技術分野】
本発明は、複数の色フィルタを備える撮像手段により撮像された画像データに対して施される色調を調整する撮像装置及びその信号処理方法及び記憶媒体に関するものである。
【手続補正４】
【補正対象書類名】明細書
【補正対象項目名】００１５
【補正方法】変更
【補正の内容】
【００１５】
本発明は、上記のような問題点を解決するためなされたものであり、撮像した画像の色補正に用いる白紙データの利便性の向上を図った撮像装置及びその信号処理方法及び記憶媒体を提供することを目的とする。
【手続補正５】
【補正対象書類名】明細書
【補正対象項目名】００１６
【補正方法】変更
【補正の内容】
【００１６】
【課題を解決するための手段】
上記目的を達成するため、本発明では、撮像装置及びその信号処理方法及び記憶媒体を次の（１）ないし（１９）のとおりに構成する。
（１）  撮像手段により得られた撮像データをファイル化して記録媒体に記憶するとともに、前記ファイルの撮像データを記録する領域とは異なる領域に、撮像データの調整用データを記憶する記憶手段を有することを特徴とする撮像装置。
（２）  前記ファイル化して記録された撮像データを再生表示するモニター手段と、該モニター手段に表示された撮像データを選択する選択手段と、該選択手段により撮像データが選択されたときにこの撮像データと同一のファイルに記録されている調整用データを読み出す読み出し手段と、該読み出されたデータに基づいて前記読み出された撮像データを再生する再生手段を有することを特徴とする前記（１）記載の撮像装置。
（３）  前記調整用データは、ホワイトバランスの調整用データを含むことを特徴とする前記（１）記載の撮像装置。
（４）  前記調整用データは、カラーバランスの調整用データを含むことを特徴とする前記（１）記載の撮像装置。
（５）  前記調整用データは、前記撮像手段により得られた撮像データの全部あるいは一部に対する色成分のデータの平均値であることを特徴とする前記（１）記載の撮像装置。
（６）  読み出された調整用データの各色成分の比から、その逆数を演算する演算手段を有することを特徴とする前記（５）記載の撮像装置。
（７）  前記ホワイトバランスの調整用データに基づいて、前記記録媒体から読み出された撮像データをホワイトバランス調整するホワイトバランス調整手段を有することを特徴とする前記（３）記載の撮像装置。
（８）  前記調整用データは、各ファイルの付属領域に記憶されることを特徴とする前記（１）記載の撮像装置。
（９）  撮像手段により得られた撮像データは、ホワイトバランス調整後、規格で定められたフォーマットのファイルに符号化されて記録媒体に記録され、前記調整用データとしての色成分のデータの平均値のデータは前記撮像データと同一のファイルの付属の領域に記録されることを特徴とする前記（１）記載の撮像装置。
（１０）  前記調整用データは、前記撮像手段が有する撮像素子の固有のデータを含むことを特徴とする前記（１）、前記（３）または前記（４）何れか記載の撮像装置。
（１１）  撮像手段により得られた撮像データをファイル化して記録媒体に記憶するとともに、前記ファイルの撮像データを記録する領域とは異なる領域に、撮像データの調整用データを記録する記録ステップを有することを特徴とする撮像装置の信号処理方法。
（１２）  前記調整用データは、ホワイトバランスの調整用データを含むことを特徴とする前記（１１）記載の撮像装置の信号処理方法。
（１３）  前記調整用データは、カラーバランスの調整用データを含むことを特徴とする前記（１１）記載の撮像装置の信号処理方法。
（１４）  前記調整用データは、前記撮像手段により得られた撮像データの全部あるいは一部に対する色成分のデータの平均値であることを特徴とする前記（１１）記載の撮像装置の信号処理方法。
（１５）  前記ホワイトバランスの調整用データに基づいて、前記記録媒体から読み出された撮像データをホワイトバランス調整するホワイトバランス調整手段と有することを特徴とする前記（１２）記載の撮像装置の信号処理方法。
（１６）  前記調整用データは、各ファイルの付属領域に記憶されることを特徴とする前記（１１）記載の撮像装置の信号処理方法。
（１７）  撮像ステップにより得られた撮像データは、ホワイトバランス調整後、規格で定められたフォーマットのファイルに符号化されて記録媒体に記録され、色成分のデータの平均値のデータは前記撮像データと同一のファイルの付属の領域に記録されることを特徴とする前記（１１）記載の撮像装置の信号処理方法。
（１８）  前記調整用データは、前記撮像手段が有する撮像素子の固有のデータを含むことを特徴とする前記（１１）、前記（１３）または前記（１４）何れか記載の撮像装置の信号処理方法。
（１９）  撮像手段により得られた撮像データをファイル化して記録媒体に記憶するとともに、前記ファイルの撮像データを記録する領域とは異なる領域に、撮像データの調整用データを記録する記録ステップを有する信号処理方法を実行するためのプログラムを格納したコンピュータにより読み取り可能な記憶媒体。
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】
【手続補正２２】
【補正対象書類名】明細書
【補正対象項目名】００３３
【補正方法】削除
【補正の内容】
【手続補正２３】
【補正対象書類名】明細書
【補正対象項目名】００３４
【補正方法】削除
【補正の内容】
【手続補正２４】
【補正対象書類名】明細書
【補正対象項目名】００３５
【補正方法】削除
【補正の内容】
【手続補正２５】
【補正対象書類名】明細書
【補正対象項目名】００３６
【補正方法】削除
【補正の内容】
【手続補正２６】
【補正対象書類名】明細書
【補正対象項目名】００３７
【補正方法】削除
【補正の内容】
【手続補正２７】
【補正対象書類名】明細書
【補正対象項目名】００３８
【補正方法】削除
【補正の内容】
【手続補正２８】
【補正対象書類名】明細書
【補正対象項目名】００３９
【補正方法】削除
【補正の内容】
【手続補正２９】
【補正対象書類名】明細書
【補正対象項目名】００４０
【補正方法】削除
【補正の内容】
【手続補正３０】
【補正対象書類名】明細書
【補正対象項目名】００４１
【補正方法】削除
【補正の内容】
【手続補正３１】
【補正対象書類名】明細書
【補正対象項目名】００４２
【補正方法】削除
【補正の内容】
【手続補正３２】
【補正対象書類名】明細書
【補正対象項目名】００４３
【補正方法】削除
【補正の内容】
【手続補正３３】
【補正対象書類名】明細書
【補正対象項目名】００４４
【補正方法】削除
【補正の内容】
【手続補正３４】
【補正対象書類名】明細書
【補正対象項目名】００４５
【補正方法】削除
【補正の内容】
【手続補正３５】
【補正対象書類名】明細書
【補正対象項目名】００４６
【補正方法】削除
【補正の内容】
【手続補正３６】
【補正対象書類名】明細書
【補正対象項目名】００４７
【補正方法】削除
【補正の内容】
【手続補正３７】
【補正対象書類名】明細書
【補正対象項目名】００４８
【補正方法】削除
【補正の内容】
【手続補正３８】
【補正対象書類名】明細書
【補正対象項目名】００４９
【補正方法】削除
【補正の内容】
【手続補正３９】
【補正対象書類名】明細書
【補正対象項目名】００５０
【補正方法】削除
【補正の内容】
【手続補正４０】
【補正対象書類名】明細書
【補正対象項目名】００５１
【補正方法】削除
【補正の内容】
【手続補正４１】
【補正対象書類名】明細書
【補正対象項目名】００５２
【補正方法】削除
【補正の内容】
【手続補正４２】
【補正対象書類名】明細書
【補正対象項目名】００５３
【補正方法】削除
【補正の内容】
【手続補正４３】
【補正対象書類名】明細書
【補正対象項目名】００５４
【補正方法】削除
【補正の内容】